(57)【要約】【課題】既設のビルトイン式加熱調理器でありながらも、加熱調理用操作部に対する操作を良好に行うことができるビルトイン式加熱調理器を提供する。【解決手段】調理器本体におけるキッチンカウンタＫの下方に位置する調理器前面部に、電源スイッチ１１の操作により点灯状態と消灯状態とに切換えられる電源ランプ１２、及び、加熱調理用操作部ＴＳが設けられ、キッチンカウンタＫにおける調理器前面部よりも前方に突出する前方突出部分Ｋｆの下面に、照明作動状態において下方側を照明する照明部Ｌが装着され、電源ランプ１２が点灯状態と消灯状態といずれであるかを検出する光検出部が、調理器前面部に装着され、照明部Ｌが、光検出部の点灯状態の検出に基づいて照明作動状態に切換えられるように構成されている。【選択図】図１
2019074275.tif 000002
【特許請求の範囲】
【請求項１】
調理器本体におけるキッチンカウンタの下方に位置する調理器前面部に、電源スイッチの操作により点灯状態と消灯状態とに切換えられる電源ランプ、及び、加熱調理用操作部が設けられたビルトイン式加熱調理器であって、
前記キッチンカウンタにおける前記調理器前面部よりも前方に突出する前方突出部分の下面に、照明作動状態と照明停止状態とに切換え自在で、前記照明作動状態において下方側を照明する照明部が装着され、
前記電源ランプが前記点灯状態と前記消灯状態とのいずれであるかを検出する光検出部が、前記調理器前面部に装着され、
前記照明部が、前記光検出部の前記点灯状態の検出に基づいて前記照明作動状態に切換えられるように構成されているビルトイン式加熱調理器。
【請求項２】
前記照明部が、前記光検出部の前記消灯状態の検出に基づいて前記照明停止状態に切換えられるように構成されている請求項１記載のビルトイン式加熱調理器。
【請求項３】
点灯作動電池が、前記調理器本体又は前記キッチンカウンタに装着され、
前記照明部が、前記点灯作動電池の電力にて照明作動するように構成されている請求項１又は２に記載のビルトイン式加熱調理器。
【請求項４】
前記光検出部が、前記電源ランプを覆う状態で前記調理器前面部に装着される遮光性を備えた検出用ケースの内部に設けられ、
前記検出用ケースに、代用ランプが外部に露出する状態で設けられ、
前記代用ランプが、前記光検出部の前記点灯状態の検出に基づいて点灯作動状態に切換えられ、かつ、前記光検出部の前記消灯状態の検出に基づいて点灯停止状態に切換えられるように構成されている請求項１〜３のいずれか１項に記載のビルトイン式加熱調理器。
【請求項５】
前記電源スイッチ及び前記電源ランプが、照光式押ボタンスイッチとして一体に構成されて、前記検出用ケースが前記照光式押ボタンスイッチを覆う状態で設けられ、
前記検出用ケースが、前記照光式押ボタンスイッチを押操作する押操作状態と前記照光式押ボタンスイッチの押操作を解除する復帰状態とに切換え自在でかつ前記復帰状態に弾性復帰する形態に構成されている請求項４に記載のビルトイン式加熱調理器。
【請求項６】
前記照明部が、前記調理器前面部の横幅方向に延びる帯状に構成されている請求項１〜５のいずれか１項に記載のビルトイン式加熱調理器。
【発明の詳細な説明】
【技術分野】
【０００１】
本発明は、調理器本体におけるキッチンカウンタの下方に位置する調理器前面部に、電源スイッチの操作により点灯状態と消灯状態とに切換えられる電源ランプ、及び、加熱調理用操作部を備えたビルトイン式加熱調理器に関する。
【背景技術】
【０００２】
かかるビルトイン式加熱調理器は、キッチンカウンタに開口した挿入口を通して下方側に挿入した状態に設置され、キッチカウンタの上部に位置する天板部には、鍋ややかん等の被加熱物を載置して加熱する加熱部が設けられることになる。
ちなみに、ビルトイン式加熱調理器としては、コンロバーナを加熱部として設けたビルトイン式ガスコンロや、電磁式発熱部を加熱部として設けたビルトイン式電磁調理器がある。
【０００３】
そして、ビルトイン式加熱調理器は、鍋ややかん等の被加熱物を加熱する際には、電源スイッチをオン操作した後に、加熱調理用操作部を操作して、被加熱物を加熱する加熱部を加熱作動させることになる（例えば、特許文献１参照。）。
【０００４】
特許文献１には、ビルトイン式ガスコンロが開示されている。
そして、加熱調理用操作部として、コンロバーナに対する点火、消火を指令し且つ火力を調整するコンロバーナ用操作具、及び、コンロバーナに対する各種の自動調理を設定するコンロバーナ用設定操作部が設けられ、コンロバーナ用設定操作部が、調理器内方側に引退した収納状態と前方に突出した操作状態とに切換え自在に構成されている。
【０００５】
ちなみに、特許文献１のビルトイン式ガスコンロは、グリルを備えており、加熱調理用操作部のひとつとして、グリルバーナに対する各種の自動調理を設定するグリルバーナ用設定操作部が設けられている。そして、このグリルバーナ用設定操作部が、コンロバーナ用設定操作部と同様に、調理器内方側に引退した収納状態と前方に突出した操作状態とに切換え自在に構成されている。
【先行技術文献】
【特許文献】
【０００６】
【特許文献１】特開２０１４−２０２３８１号公報
【発明の概要】
【発明が解決しようとする課題】
【０００７】
従来のビルトイン式加熱調理器においては、調理器前面部がキッチンカウンタの下方に位置しているため、照明機器の明かりが届き難いこと等に起因して、加熱調理用操作部に対する操作が行い難い不都合があり、改善が望まれている。
【０００８】
つまり、ビルトイン式加熱調理器が設置されている台所等のキッチン空間には、キッチン空間の全体等を照明するための照明機器が設置されているが、照明機器の明かりが調理器前面部に届き難いこと等に起因して、加熱調理用操作部を良好に目視することができないことがあり、その結果、加熱調理用操作部に対する操作が行い難い不都合があった。
【０００９】
ちなみに、上記特許文献１の如く、コンロバーナ用設定操作部やグリルバーナ用設定操作部が装備されている場合においては、コンロバーナ用設定操作部及びグリルバーナ用設定操作部には、多数の操作スイッチ類や各種の表示部が設けられることになるから、それらの多数の操作スイッチ類や各種の表示部を目視で確認しながら、コンロバーナやグリルバーナに対する自動調理を設定する必要があるが、多数の操作スイッチ類や各種の表示部の確認が行い難い不都合があった。
【００１０】
本発明は、上記実情に鑑みて為されたものであって、その目的は、既設のビルトイン式加熱調理器でありながらも、加熱調理用操作部に対する操作を良好に行うことができるビルトイン式加熱調理器を提供する点にある。
【課題を解決するための手段】
【００１１】
本発明のビルトイン式加熱調理器は、調理器本体におけるキッチンカウンタの下方に位置する調理器前面部に、電源スイッチの操作により点灯状態と消灯状態とに切換えられる電源ランプ、及び、加熱調理用操作部を備えたものであって、その特徴構成は、
前記キッチンカウンタにおける前記調理器前面部よりも前方に突出する前方突出部分の下面に、照明作動状態と照明停止状態とに切換え自在で、前記照明作動状態において下方側を照明する照明部が装着され、
前記電源ランプが前記点灯状態と前記消灯状態とのいずれであるかを検出する光検出部が、前記調理器前面部に装着され、
前記照明部が、前記光検出部の前記点灯状態の検出に基づいて前記照明作動状態に切換えられるように構成されている点にある。
【００１２】
すなわち、ビルトイン式加熱調理器によって加熱調理を行うために、電源スイッチの操作により電源ランプが点灯状態になると、光検出部が電源ランプの点灯状態を検出して、照明部が照明作動状態に切換えられることになり、調理器前面部が照明部の光にて照明される。
【００１３】
このように、調理器前面部が照明部の光にて照明されると、調理器前面部に設けた加熱調理用操作部が照明部の明かりによって見易くなるから、加熱調理用操作部を適切に目視しながら良好に操作できるものとなる。
【００１４】
しかも、照明部は、ビルトイン式加熱調理器の設置後において、キッチンカウンタの前方突出部分の下面に対して、貼り付ける等により、適宜装着することができるものであり、また、光検出部は、ビルトイン式加熱調理器の設置後において、調理器前面部に対して、貼り付ける等により、適宜装着することができるものである。
【００１５】
このように、照明部及び光検出部は、ビルトイン式加熱調理器の設置後においても、適宜装着できるものであるから、既設のビルトイン式加熱調理器の加熱調理用操作部を良好に操作できるようにすることができる。
【００１６】
要するに、本発明のビルトイン式加熱調理器の特徴構成によれば、既設のビルトイン式加熱調理器でありながらも、加熱調理用操作部を良好に操作することができる。
【００１７】
本発明のビルトイン式加熱調理器の更なる特徴構成は、前記照明部が、前記光検出部の前記消灯状態の検出に基づいて前記照明停止状態に切換えられるように構成されている点にある。
【００１８】
すなわち、電源ランプが消灯状態になると、光検出部の消灯状態の検出に基づいて照明部を照明停止状態に切換えるものであるから、特別な操作を要することなく、照明部を照明停止状態に切換えることができるため、使い勝手の向上を図ることができる。
【００１９】
ちなみに、手動操作により、照明部を照明停止状態に切換えるようにした場合には、照明部を照明停止状態に切換える操作の忘れ等により、照明を必要とするとき以外にも、照明部を照明作動状態に維持してしまう無駄が生じる虞があるが、光検出部の消灯状態の検出に基づいて照明部を照明停止状態に切換えるようにすることにより、照明が不要なときにも、照明部を照明作動状態に維持してしまう無駄を回避できるため、この点からも、使い勝手を向上できる。
【００２０】
要するに、ビルトイン式加熱調理器の更なる特徴構成によれば、使い勝手の向上を図ることができる。
【００２１】
本発明のビルトイン式加熱調理器の更なる特徴構成は、点灯作動電池が、前記調理器本体又は前記キッチンカウンタに装着され、
前記照明部が、前記点灯作動電池の電力にて照明作動するように構成されている点にある。
【００２２】
すなわち、調理器本体又はキッチンカウンタに装着された点灯作動電池の電力にて、照明部を照明作動させるものであるから、照明部を照明作動させるための電力供給を良好に行うことができる。
【００２３】
つまり、照明部を照明作動させるための電力を、ビルトイン式加熱調理器が設置されている台所等のキッチン空間に装備されている商用電源のコンセントから受電することが考えられるが、この場合、コンセントから延びる受電用電線が邪魔になる等の不都合を生じる虞がある。
これに対して、点灯作動電池の電力にて照明部を照明作動させることにより、そのような不都合の発生を回避できる。
【００２４】
要するに、本発明のビルトイン式加熱調理器の更なる特徴構成によれば、照明部を照明作動させるための電力供給を良好に行うことができる。
【００２５】
本発明のビルトイン式加熱調理器の更なる特徴構成は、前記光検出部が、前記電源ランプを覆う状態で前記調理器前面部に装着される遮光性を備えた検出用ケースの内部に設けられ、
前記検出用ケースに、代用ランプが外部に露出する状態で設けられ、
前記代用ランプが、前記光検出部の前記点灯状態の検出に基づいて点灯作動状態に切換えられ、かつ、前記光検出部の前記消灯状態の検出に基づいて点灯停止状態に切換えられるように構成されている点にある。
【００２６】
すなわち、電源ランプを覆う状態で調理器前面部に装着される遮光性を備えた検出用ケースの内部に、光検出部を設けるものであるから、外乱光が光検出部に受光されることを抑制した状態で、電源ランプの光を光検出部にて受光させることができるため、電源ランプが点灯状態であるか、消灯状態であるかを適切に検出させることができる。
【００２７】
しかも、電源ランプが点灯状態のときには、代用ランプを点灯作動状態に切換え、かつ、電源ランプが消灯状態のときには、代用ランプを点灯停止状態に切換えるものであるから、電源ランプが検出用ケースにて覆われていても、電源ランプが点灯状態であるか、消灯状態であるかを、代用ランプが点灯作動状態であるか、点灯停止状態であるかによって、適切に表示することができる。
【００２８】
要するに、本発明のビルトイン式加熱調理器の更なる特徴構成によれば、電源ランプの点灯状態及び消灯状態であるか適切に表示しながら、電源ランプの点灯状態及び消灯状態を適切に検出させることができる。
【００２９】
本発明のビルトイン式加熱調理器の更なる特徴構成は、前記電源スイッチ及び前記電源ランプが、照光式押ボタンスイッチとして一体に構成されて、前記検出用ケースが前記照光式押ボタンスイッチを覆う状態で設けられ、
前記検出用ケースが、前記照光式押ボタンスイッチを押操作する押操作状態と前記照光式押ボタンスイッチの押操作を解除する復帰状態とに切換え自在でかつ前記復帰状態に弾性復帰する形態に構成されている点にある。
【００３０】
すなわち、電源スイッチ及び電源ランプが、照光式押ボタンスイッチとして一体に構成されている場合において、光検出部及び代用ランプを備える検出用ケースが、照光式押ボタンスイッチを覆う状態で設けられるものであるから、照光式押ボタンスイッチの点灯状態及び消灯状態を代用ランプにて適切に表示しながら、照光式押ボタンスイッチの点灯状態及び消灯状態を適切に検出させることができる。
【００３１】
しかも、検出用ケースが、照光式押ボタンスイッチを押操作する押操作状態と照光式押ボタンスイッチ押操作を解除する復帰状態とに切換え自在でかつ復帰状態に弾性復帰する形態に構成されているから、検出用ケースが照光式押ボタンスイッチを覆う状態で設けられるものでありながらも、照光式押ボタンスイッチを適切に押し操作することができる。
【００３２】
要するに、本発明のビルトイン式加熱調理器の更なる特徴構成によれば、照光式押ボタンスイッチが点灯状態及び消灯状態を適切に表示し、且つ、照光式押ボタンスイッチが点灯状態と消灯状態とのいずれであるかを適切に検出させることができるようにしながらも、照光式押ボタンスイッチを適切に押し操作することができる。
【００３３】
本発明のビルトイン式加熱調理器の更なる特徴構成は、前記照明部が、前記調理器前面部の横幅方向に延びる帯状に構成されている点にある。
【００３４】
すなわち、調理器前面部の横幅方向に延びる帯状に構成されている照明部にて、調理器前面部の横幅方向の全体を良好に照明することが可能となるから、加熱調理用操作部が調理器前面部の横幅方向の全体に亘って配置されていても、その加熱調理用操作部を適切に照明することができる。
【００３５】
このように、加熱調理用操作部が調理器前面部の横幅方向の全体に亘って配置されていても、その加熱調理用操作部を適切に照明することができるから、調理器前面部の横幅方向の全体に亘って配置されている加熱調理用操作部を良好に操作することができる。
【００３６】
要するに、本発明のビルトイン式加熱調理器の更なる特徴構成によれば、加熱調理用操作部が調理器前面部の横幅方向の全体に亘って配置されていても、その加熱調理用操作部を良好に操作することができる。
【図面の簡単な説明】
【００３７】
【図１】キッチンカウンタに装着したビルトイン式ガスコンロの斜視図
【図２】キッチンカウンタに装着したビルトン式ガスコンロの側面図
【図３】コンロ用操作部の正面図
【図４】検出用ケースの装着部を示す横断平面図
【図５】制御構成を示すブロック図
【図６】第２実施形態のコンロ用操作部の正面図
【図７】第２実施形態の検出用ケースの装着部を示す横断平面図
【発明を実施するための形態】
【００３８】
〔第１実施形態〕
以下、本発明の第１実施形態を図面に基づいて説明する。
（ガスコンロの全体構成）
図１及び図２に示すように、ビルトイン式加熱調理器としてのビルトイン式ガスコンロＧＣが、キッチンカウンタＫの挿入口Ｋａを通して挿入される形態で、キッチンカウンタＫに装着されている。
【００３９】
すなわち、ビルトイン式ガスコンロＧＣが、キッチンカウンタＫの挿入口Ｋａの周縁部に載置される鍔部１Ａを備えた調理器本体１と、調理器本体１の上部に設置される天板２とを備えている。
加熱部としての３つのコンロバーナ３が、天板２を貫通する状態で調理器本体１に装備され、調理器本体１の内部に、ガスグリルＧが装備されている。
【００４０】
３つのコンロバーナ３は、標準バーナ３ａ、小バーナ３ｂ、及び、高火力バーナ３ｃであり、調理器本体１の上面を覆う天板２の上部には、鍋等を受け止め支持するための五徳４が３つのコンロバーナ３の夫々に対応して載置支持されている。
【００４１】
ガスグリルＧの前部には、ガスグリルＧを開閉するグリル扉５が設けられ、ガスグリルＧの燃焼排ガスを排気するためのグリル排気口６が、天板２の後方側箇所に形成されている。
尚、図示は省略するが、ガスグリルＧには、グリルバーナが装備されることになる。
【００４２】
（ガスコンロの操作構成）
調理器本体１におけるキッチンカウンタＫの下方に位置する調理器前面部には、加熱調理用操作部ＴＳが設けられている。つまり、調理器前面部におけるガスグリルＧの右側部分が、コンロ用操作部に構成され、ガスグリルＧの左側部分が、グリル用操作部に構成されている。
【００４３】
すなわち、調理器前面部の右側上部には、３つのコンロバーナ３の夫々に対応させて３つコンロ用操作具７が設けられ、また、調理器本体１の前面の右側下部には、３つのコンロバーナ３に対応させて、開閉式のコンロ用設定部ＳＣが設けられている。
そして、コンロ用操作具７の押し操作によって、コンロバーナ３に対する点火及び消火を行い、コンロ用操作具７の回転操作によって、コンロバーナ３の火力調節操作を行うように構成されている。
また、コンロ用設定部ＳＣによって湯沸し運転等の自動調理運転の設定を行うように構成されている。つまり、コンロ用設定部ＳＣの上面部には、各種のスイッチ類や各種の表示部が設けられて、表示部の内容を確認しながらスイッチ類の操作を行うことにより、湯沸し運転等の自動調理運転を設定できるように構成されている。
【００４４】
調理器前面部の左側上部には、グリルバーナに対応させてグリル用操作具８が設けられ、また、調理器本体１の前面の左側下部には、グリルバーナに対応させて、開閉式のグリル用設定部ＳＧが設けられている。
そして、グリル用操作具８の押し操作によって、グリルバーナに対する点火及び消火を行い、グリル用操作具８の回転操作によって、グリルバーナの火力調節操作を行うように構成されている。
また、グリル用設定部ＳＧによって、魚焼き等の自動調理運転の設定を行うように構成されている。つまり、グリル用設定部ＳＧの上面部には、各種のスイッチ類や各種の表示部が設けられて、表示部の内容を確認しながらスイッチ類の操作を行うことにより、魚焼き等の自動調理運転を設定できるように構成されている。
【００４５】
３つのコンロ用操作具７の夫々の上部には、複数のコンロ用火力表示ランプ９が並設されている。これらのコンロ用火力表示ランプ９は、調節された火力が大きくなるほど点灯する数を増加するように構成されている。
同様に、グリル用操作具８の上部には、複数のグリル用火力表示ランプ１０が並設されている。これらのグリル用火力表示ランプ１０は、コンロ用火力表示ランプ９と同様に、調節された火力が大きくなるほど点灯する数を増加するように構成されている。
【００４６】
（電源用操作構成）
図１及び図３に示すように、調理器本体１におけるキッチンカウンタＫの下方に位置する調理器前面部における右方側のコンロ用操作具７の上部には、電源スイッチ１１及び当該電源スイッチ１１の操作により点灯状態と消灯状態とに切換えられる電源ランプ１２が設けられている。
【００４７】
すなわち、電源スイッチ１１は、押操作されるごとに入り状態と切り状態とに切換え操作されるものであって、入り状態において、電源の電力をコンロ用制御部や各種の機器類に供給する状態となり、切り状態において、その電力供給を停止するように構成されている。
尚、本実施形態は、電源として、電池（図示せず）を搭載する形態であるが、商用電力を供給するコンセントから電力を受電する形態でもよい。
【００４８】
したがって、ビルトイン式ガスコンロＧＣを使用する際には、電源スイッチ１１を入り状態に操作することになり、また、ビルトイン式ガスコンロＧＣを使用しないときには、電源スイッチ１１を切り状態に操作しておくことになる。
ちなみに、本実施形態においては、電源スイッチ１１を入り状態にした後において、コンロバーナ３及びグリルバーナの燃焼停止状態が設定時間（例えば、１５分）の間継続すると、自動的に電源スイッチ１１を切り状態に操作するように構成されている。
【００４９】
（照明用構成）
図１及び図２に示すように、キッチンカウンタＫにおける調理器本体１の調理器前面部よりも前方に突出する前方突出部分Ｋｆの下面に、照明作動状態と照明停止状態とに切換え自在で、照明作動状態において下方側を照明する照明部Ｌが装着されている。
本実施形態においては、図１に示すように、照明部Ｌは、調理器前面部の左側部の上方に位置する左方照明部Ｌａと、調理器前面部の右側部の上方に位置する右方照明部Ｌｂとから構成されている。
【００５０】
照明部Ｌの左方照明部Ｌａ及び右方照明部Ｌｂは、帯状のＬＥＤランプを用いて調理器前面部の横幅方向に延びる形態に構成されている。
そして、それらの左方照明部Ｌａ及び右方照明部Ｌｂが、両面テープ等を用いて、前方突出部分Ｋｆの下面に貼り付ける形態で、前方突出部分Ｋｆの下面に装着されている。
ちなみに、左方照明部Ｌａ及び右方照明部Ｌｂは、ガスグリルＧの上方に相当する箇所を外れる状態で設けられて、ガスグリルＧの熱気にて損傷することが抑制されている。
【００５１】
図４に示すように、電源ランプ１２が点灯状態と消灯状態とのいずれであるかを検出する光検出部１３が、調理器前面部に装着されている。
具体的には、光検出部１３が、電源ランプ１２を覆う状態で調理器前面部に装着される遮光性を備えた検出用ケースＷの内部に設けられている。
光検出部１３は、光電セル等の光電センサを用いて構成されている。
【００５２】
また、図４に示すように、検出用ケースＷに、代用ランプ１４が外部に露出する状態で設けられている。この代用ランプ１４は、電源ランプ１２の点灯状態及び消灯状態を表示するために、電源ランプ１２の代わりに、点灯作動状態と点灯停止状態とに切換えられるように構成されている。
【００５３】
検出用ケースＷが、光検出部１３と代用ランプ１４とを保持する円板状の保持部Ｗｈ、当該保持部Ｗｈから調理器前面部側に延びる筒部Ｗｄ、及び、当該筒部Ｗｄの先端の取付け部Ｗｔを備える形状に、遮光性がある合成樹脂にて形成されている。
そして、検出用ケースＷは、光検出部１３と代用ランプ１４とを、内外方向に並べる状態に保持部Ｗｈに保持し、かつ、両面テープ等を用いて調理器前面部を形成する前面パネル１Ｆに取付け部Ｗｔを貼り付ける形態で、調理器前面部に装着されている。
【００５４】
点灯作動電池１５が、調理器本体１に装着されている。本実施形態においては、調理器本体１における前面パネル１Ｆの背部箇所に装備されている。つまり、前面パネル１Ｆが内部機器の点検調整のために着脱自在で、かつ、前面パネル１Ｆの背部箇所には、余裕空間が存在することを利用して、点灯作動電池１５の収納する電池収納ケースを、調理器本体１における前面パネル１Ｆの背部箇所に装備するように構成されている。
【００５５】
点灯作動電池１５としては、棒状の乾電池やボタン電池を使用できるものである。
ちなみに、点灯作動電池１５の装着箇所としては、前面パネル１Ｆの背部箇所に代えて、前面パネル１Ｆの前面やキッチンカウンタＫの前方突出部分Ｋｆの下面に電池収納ケースを装着して、その電池収納ケースに収納させるようにしてもよい。
【００５６】
そして、照明部Ｌが、点灯作動電池１５の電力にて照明作動するように構成され、また、代用ランプ１４が、点灯作動電池１５の電力にて点灯作動するように構成されている。
【００５７】
照明部Ｌが、光検出部１３による電源ランプ１２の点灯状態の検出に基づいて照明作動状態に切換えられ、且つ、光検出部１３による電源ランプ１２の消灯状態の検出に基づいて照明停止状態に切換えられるように構成されている。
また、代用ランプ１４が、光検出部１３による電源ランプ１２の点灯状態の検出に基づいて点灯作動状態に切換えられ、かつ、光検出部１３による電源ランプ１２の消灯状態の検出に基づいて点灯停止状態に切換えられるように構成されている。
【００５８】
すなわち、図５に示すように、照明部Ｌの照明作動及び代用ランプ１４の点灯作動を制御する照明制御部１６が設けられている。この照明制御部１６は、点灯作動電池１５と同様に、調理器本体１における前面パネル１Ｆの背部箇所に装備されている。
ちなみに、図１に示すように、本実施形態においては、照明制御部１６と点灯作動電池１５とが一体状に構成されている。尚、このように、照明制御部１６と点灯作動電池１５とを一体状に構成する形態としては、例えば、照明制御部１６を、点灯作動電池１５の収納する電池収納ケースに収納して、照明制御部１６と点灯作動電池１５とをユニット状に形成してもよい。
【００５９】
そして、照明制御部１６が、光検出部１３の検出情報に基づいて電源ランプ１２の点灯状態であると判別すると、点灯作動電池１５の電力を照明部Ｌ及び代用ランプ１４に供給して、照明部Ｌを照明作動状態に切換え、かつ、代用ランプ１４を点灯作動状態に切換えるように構成されている。
【００６０】
また、照明制御部１６が、光検出部１３の検出情報に基づいて電源ランプ１２の消灯状態であると判別すると、照明部Ｌ及び代用ランプ１４に対する点灯作動電池１５の電力供給を停止して、照明部Ｌを照明停止状態に切換え、かつ、代用ランプ１４を点灯停止状態に切換えるように構成されている。
【００６１】
尚、図１に示すように、本実施形態においては、照明制御部１６と点灯作動電池１５とが一体状に構成され、その一体状に構成された照明制御部１６及び点灯作動電池１５に対して、光検出部１３及び代用ランプ１４を備える検出用ケースＷや照明部Ｌが、電力供給や情報伝達を行う電線にて接続されている。
【００６２】
（第１実施形態のまとめ）
上述の如く、第１実施形態によれば、ビルトイン式ガスコンロＧＣを使用するために電源スイッチ１１を入り状態に操作すると、光検出部１３が電源ランプ１２の点灯状態を検出して、照明部Ｌが照明作動状態に切換るため、調理器本体１における調理器前面部に装備した加熱調理用操作部ＴＳが照明部Ｌにて照明されることになり、加熱調理用操作部ＴＳの操作を良好に行えることになる。
【００６３】
また、電源ランプ１２が検出用ケースＷにて覆われるものの、代用ランプ１４が点灯作動状態に切換ることにより、電源ランプ１２が点灯状態であること、つまり、ビルトイン式ガスコンロＧＣが電源供給状態であることを適切に認識させることができる。
【００６４】
しかも、照明部Ｌ、検出用ケースＷ、点灯作動電池１５、及び、照明制御部１６の夫々は、ビルトイン式ガスコンロＧＣの設置後において、使用者の必要に応じて、適宜装着することができるものであるから、既設のビルトイン式ガスコンロＧＣを加熱調理用操作部ＴＳの操作を良好に行える状態に改造することができる。
【００６５】
〔第２実施形態〕
次に、第２実施形態を説明するが、この第２実施形態は、電源スイッチ１１及び電源ランプ１２の別形態及び検出用ケースＷの別形態を示すものであって、その他の構成は第１実施形態と同様であるので、第１実施形態と異なる部分についてのみ説明して、第１実施形態と同様な構成については、第１実施形態と同じ符号を付して、詳細な説明を省略する。
【００６６】
図７に示すように、電源スイッチ１１及び電源ランプ１２が、照光式押ボタンスイッチＢとして一体に構成されている。
そして、図６及び図７に示すように、検出用ケースＷが照光式押ボタンスイッチＢを覆う状態で設けられている。
【００６７】
検出用ケースＷが、照光式押ボタンスイッチＢを押操作する押操作状態と照光式押ボタンスイッチＢの押操作を解除する復帰状態とに切換え自在でかつ復帰状態に弾性復帰する形態に構成されている。
すなわち、検出用ケースＷの保持部Ｗｈに、照光式押ボタンスイッチＢを押操作する押圧部１７が設けられている。
そして、検出用ケースＷにおける筒部Ｗｄが、前面パネル１Ｆ（照光式押ボタンスイッチＢ）に対する遠近方向に沿って弾性変形自在で、かつ、前面パネル１Ｆ（照光式押ボタンスイッチＢ）から離間した状態に復帰自在な蛇腹状に構成されている。
【００６８】
従って、ビルトイン式ガスコンロＧＣを使用する際に、検出用ケースＷの保持部Ｗｈを押操作すると、照光式押ボタンスイッチＢ（電源スイッチ１１）が入り状態になり、光検出部１３が照光式押ボタンスイッチＢ（電源ランプ１２）の点灯状態を検出して、照明部Ｌが照明作動状態に切換るため、調理器本体１における調理器前面部に装備した加熱調理用操作部ＴＳが照明部Ｌにて照明されることになり、加熱調理用操作部ＴＳの操作を良好に行えることになる。
【００６９】
また、照光式押ボタンスイッチＢが検出用ケースＷにて覆われるものの、代用ランプ１４が点灯作動状態に切換ることにより、照光式押ボタンスイッチＢが点灯状態であること、つまり、ビルトイン式ガスコンロＧＣが電源供給状態であることを適切に認識させることができる。
【００７０】
しかも、照明部Ｌ、検出用ケースＷ、点灯作動電池１５、及び、照明制御部１６の夫々は、ビルトイン式ガスコンロＧＣの設置後において、使用者の必要に応じて、適宜装着することができるものであるから、既設のビルトイン式ガスコンロＧＣを、加熱調理用操作部ＴＳの操作を良好に行える状態に改造することができる。
【００７１】
〔別実施形態〕
次に、別実施形態を列記する。
（イ）上記第１及び第２実施形態おいては、ガスグリルＧを備えるビルトイン式ガスコンロＧＣに本発明を適用する場合を例示したが、本発明は、ガスグリルＧを備えないビルトイン式ガスコンロＧＣにも適用できるものである。
【００７２】
（ロ）上記第１及び第２実施形態においては、点灯作動電池１５及び照明制御部１６を調理器本体１に装着する場合を例示したが、これら点灯作動電池１５及び照明制御部１６は、キッチンカウンタＫにおける前方突出部分Ｋｆの下面に装着する等、キッチンカウンタＫに装着してもよい。
【００７３】
（ハ）上記第１及び第２実施形態においては、電源スイッチ１１が入り状態になって照明作動状態に切換えた照明部Ｌを、電源スイッチ１１が切り状態になるまで、照明作動状態に維持する場合を例示したが、設定時間（例えば、５分）が経過すると、自動的に照明停止状態に切換えるようにする等、照明部Ｌを照明停止状態に切換える形態は種々変更できる。
【００７４】
（ニ）上記第１及び第２実施形態においては、照明部Ｌ及び代用ランプ１４を点灯作動電池１５の電力にて作動させるように構成したが、商用電源を供給するコンセントからの電力を供給する形態で実施してもよい。
【００７５】
（ホ）上記第１及び第２実施形態においては、光検出部１３を、電源ランプ１２を覆う検出用ケースＷの内部に設ける場合を例示したが、例えば、電源ランプ１２を露出させる状態で、光検出部１３を電源ランプ１２の横側脇に隣接設置する形態で実施してもよく、この場合、代用ランプ１４を省略することができる。
【００７６】
（へ）本発明を実施するにあたり、光検出部１３に加えて、照明部Ｌを照明作動状態と照明停止状態とに切換える手動操作式の照明スイッチを設けて、この照明スイッチの操作により照明部Ｌを、照明作動状態と照明停止状態とに適宜切換えることができるようにしてもよい。
【００７７】
（ト）上記第１及び第２実施形態においては、ビルトイン式加熱調理器として、ビルトイン式ガスコンロＧＣを例示したが、ビルトイン式加熱調理器としては、ビルトイン式電磁調理器を対象とすることができる。
【００７８】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００７９】
１      調理器本体
１１    電源スイッチ
１２      電源ランプ
１３    光検出部
１４    代用ランプ
１５    点灯作動電池
Ｂ      照光式押ボタンスイッチ
Ｋ      キッチンカウンタ
Ｋｆ    前方突出部分
Ｌ      照明部
ＴＳ    加熱調理用操作部
Ｗ      検出用ケース
【図１】
2019074275.tif 000003
【図２】
2019074275.tif 000004
【図３】
2019074275.tif 000005
【図４】
2019074275.tif 000006
【図５】
2019074275.tif 000007
【図６】
2019074275.tif 000008
【図７】
2019074275.tif 000009